(57)【要約】      （修正有）【課題】大きいサイズのプラグを挿設することができ、ソケットの利用率が高くなり、ＵＳＢ線を直接に連接することができ、製品の機能が豊かになる多機能の回転式ソケットを提供する。【解決手段】ソケット本体１００、電源ケーブル２００及びプラグ３００を備え、電源ケーブル２００の一端がソケット本体１００に連接され、電源ケーブル２００の他端がプラグ３００に連接され、ソケット本体１００が、首尾が回転自在に連接された複数の回転部材１０を備え、回転部材１０がプラスチックハウシング１を備え、プラスチックハウシング１の表面に、電源挿入孔１０１が設置され、プラスチックハウシング１内に、電源連接部材が設置され、隣接する回転部材１０の間に、回転構造が設置される。回転構造が、プラスチックハウシング１の一端に設置された円形孔およびプラスチックハウシングの他端に設置された円形筒を備える。【選択図】図１
0003197061.tif 000002
【実用新案登録請求の範囲】
【請求項１】
ソケット本体、電源ケーブル及びプラグを備え、前記電源ケーブルの一端が前記ソケット本体に連接され、前記電源ケーブルの他端が前記プラグに連接される多機能の回転式ソケットであって、前記ソケット本体が、首尾が回転自在に連接された複数の回転部材を備え、前記回転部材がプラスチックハウシングを備え、前記プラスチックハウシングがプラスチック製品であり、前記プラスチックハウシングの表面に、電源挿入孔が設置され、前記プラスチックハウシング内における、前記電源挿入孔に対応する箇所に、電源連接部材が設置され、隣接する前記回転部材の間に、回転構造が設置され、前記回転構造が、前記プラスチックハウシングの一端に設置された円形孔および前記プラスチックハウシングの他端に設置された円形筒を備え、各前記回転部材に、少なくとも二つのＵＳＢインターフェースが設置され、前記ソケット本体の両端のそれぞれに、一つの支持具が設置され、前記ソケット本体の両端が回転自在に前記支持具に連接されることを特徴とする多機能の回転式ソケット。
【請求項２】
前記電源ケーブルに隣接する前記回転部材の内部に、分配器が設置され、前記電源ケーブルが前記分配器に連接され、各前記プラスチックハウシング内の電源連接部材と前記分配器が導線を介して連接されることを特徴とする請求項１に記載の回転式ソケット。
【請求項３】
前記プラスチックハウシングの表面に、前記プラスチックハウシング内の電源連接部材を制御するためのボタンスイッチが設置されることを特徴とする請求項１に記載の多機能の回転式ソケット。
【請求項４】
隣接する前記プラスチックハウシングの間に、回転位置決め構造が設置され、前記回転位置決め構造が、前記プラスチックハウシングの一端に設置された突起および前記プラスチックハウシングの他端に設置された凹孔を備え、前記突起が前記凹孔内に伸びることを特徴とする請求項１に記載の多機能の回転式ソケット。
【考案の詳細な説明】
【技術分野】
【０００１】
本考案は、ソケット構造の技術分野に関し、特に、多機能の回転式ソケットに関する。
【背景技術】
【０００２】
従来のソケットは、大部分が一体構造であるが、上面に電源挿入孔があり、隣接する挿入孔同士が緊密に配列され、使用際に、側方空間を大きく占めるプラグ、例えば、側面に電源ケーブルが連接されたプラグを使用できなく、隣接する挿入孔の使用に影響を及ぼし、ユーザーにとって不便になる。
【考案の概要】
【考案が解決しようとする課題】
【０００３】
本考案は、上記の従来技術の欠陥を克服し、ソケットの利用率が高く、ユーザーにとって使用が便利になる多機能の回転式ソケットを提供することを目的とする。
【課題を解決するための手段】
【０００４】
本考案は、多機能の回転式ソケットであって、ソケット本体、電源ケーブル及びプラグを備え、前記電源ケーブルの一端が前記ソケット本体に連接され、前記電源ケーブルの他端が前記プラグに連接され、前記ソケット本体が、首尾が回転自在に連接された複数の回転部材を備え、前記回転部材がプラスチックハウシングを備え、前記プラスチックハウシングがプラスチック製品であり、前記プラスチックハウシングの表面に、電源挿入孔が設置され、前記プラスチックハウシング内における、前記電源挿入孔に対応する箇所に、電源連接部材が設置され、隣接する前記回転部材の間に、回転構造が設置され、前記回転構造が、前記プラスチックハウシングの一端に設置された円形孔および前記プラスチックハウシングの他端に設置された円形筒を備え、各前記回転部材に、少なくとも二つのＵＳＢインターフェースが設置され、前記ソケット本体の両端のそれぞれに、一つの支持具が設置され、前記ソケット本体の両端が回転自在に前記支持具に連接される多機能の回転式ソケットである。
【０００５】
また、前記電源ケーブルに隣接する前記回転部材の内部に、分配器が設置され、前記電源ケーブルが前記分配器に連接され、各前記プラスチックハウシング内の電源連接部材と前記分配器が導線を介して連接される。
【０００６】
また、前記プラスチックハウシングの表面に、前記プラスチックハウシング内の電源連接部材を制御するためのボタンスイッチが設置される。
【０００７】
また、隣接する前記プラスチックハウシングの間に、回転位置決め構造が設置され、前記回転位置決め構造が、前記プラスチックハウシングの一端に設置された突起および前記プラスチックハウシングの他端に設置された凹孔を備え、前記突起が前記凹孔内に伸びる。
【考案の効果】
【０００８】
本考案による多機能の回転式ソケットは、ソケット本体が、首尾が回転自在に連接された複数の回転部材を備え、回転部材同士が一定の角度で相対的に回転でき、上面にある電源挿入孔の位置をずらすことができるようにして、大きいサイズのプラグを挿設することができるようにして、ソケットの利用率が高くなり、ＵＳＢ線を直接に連接することができ、製品の機能が豊かになり、ユーザーにとって使用が便利になる。
【図面の簡単な説明】
【０００９】
本考案の実施形態の技術手段を一層明瞭に説明するために、以下、実施形態において参照される図面を簡単に説明する。以下説明される図面は、本考案の実施形態にすぎないことが明らかに明瞭である。当業者にとって、創造的な労働を払わない場合でも、これらの図面に基づいて他の図面を得ることができる。
【図１】図１は、本考案の実施形態による多機能の回転式ソケットの概略斜視図である。
【図２】図２は、本考案の実施形態による多機能の回転式ソケットのソケット本体と支持具の概略斜視図である。
【図３】図３は、本考案の実施形態による多機能の回転式ソケットのソケット本体の概略斜視図である。
【図４】図４は、本考案の実施形態による多機能の回転式ソケットのソケット本体の他の状態の概略斜視図である。
【図５】図５は、本考案の実施形態による多機能の回転式ソケットのソケット本体と支持具の他の状態の概略斜視図である。
【図６】図６は、本考案の実施形態による多機能の回転式ソケットの回転部材の概略斜視図である。
【図７】図７は、本考案の実施形態による多機能の回転式ソケットの回転部材の概略斜視図である。
【考案を実施するための形態】
【００１０】
本考案の目的、技術手段及び利点を更に明瞭にするために、以下、図面及び実施形態を参照しながら、本考案について一層詳細に説明する。しかし、ここで説明される特定の実施形態は、本考案を釈明するためのものにすぎなく、本考案を限定しないものであると認められる。
【００１１】
図１〜図７に示すように、本考案の実施形態による多機能の回転式ソケットは、ソケット本体１００、電源ケーブル２００及びプラグ３００を備える。電源ケーブル２００の一端がソケット本体１００に連接され、電源ケーブル２００の他端がプラグ３００に連接される。プラグ３００は、それぞれが送電線、ゼロ線およびアース線に連接されるための三つのピンが設置される。ソケット本体１００は、首尾が回転自在に連接された複数の回転部材１０を備える。回転部材１０は、長さが６センチメートルよりも長く且つ１４センチメートルよりも短い。回転部材１０同士は一定の角度で相対的に回転できる。回転部材１０はプラスチックハウシング１を備える。プラスチックハウシング１は、プラスチック製品であり、絶縁効果がよく且つ確実性が高い。プラスチックハウシング１の表面には、電源挿入孔１０１が設置され、電気器具のプラグと連接されることが便利になるようにする。プラスチックハウシング１内における、電源挿入孔１０１に対応する箇所には、電源連接部材１１１が設置され、電気器具のプラグのピンが電源挿入孔１０１を通過して電源連接部材１１１と連接されることができる。隣接する回転部材１０の間には、回転構造が設置され、回転構造は、プラスチックハウシング１の一端に設置された円形孔１１およびプラスチックハウシング１の他端に設置された円形筒１２を備える。一つの回転部材１０の円形筒１２が隣接する回転部材１０の円形孔１１内に挿入されることにより、隣接する回転部材１０が互いに連接され且つ相対的に回転できる。円形筒１２の外壁には、隣接する回転部材１０が容易に脱落することを防止するための環状凸筋１２１が一体成形される。電源連接部材１１１は、絶縁シェル及びこの絶縁シェル内に設置された金属コンタクトを備える。電源ケーブル２００は、各電源連接部材１１１内の金属コンタクトと電気的に連接され、導電効果がよくなる。絶縁シェルは、プラスチックハウシング１内に接着剤で接着されてもよい。このように、回転できる回転部材１０を設置することにより、上面にある電源挿入孔１０１の位置をずらすことができ、大きいサイズのプラグを挿設することが便利になるようにして、ソケットの利用率が高くなり、ユーザーにとって使用が便利になる。各前記回転部材１０には、少なくとも二つのＵＳＢインターフェース１６が設置される。前記ソケット本体１００の両端のそれぞれには、一つの支持具２が設置される。前記ソケット本体１００の両端は、回転自在に前記支持具２に連接され、前記回転部材１０をそれぞれ異なる角度に調節するようにして、操作が非常に便利になる。支持具２の底部には、滑り止めゴムパッドが接着されてもよい。
【００１２】
具体的には、図１〜図４に示すように、電源ケーブル２００に隣接する回転部材１０は、内部に分配器４００が設置される。電源ケーブル２００は分配器４００に連接される。各プラスチックハウシング１内の電源連接部材１１１と分配器４００との間は、導線を介して連接され、組み立てが容易になるようにする。
【００１３】
具体的には、図１〜図４に示すように、プラスチックハウシング１の表面には、プラスチックハウシング１内の電源連接部材１１１を制御するためのボタンスイッチ１５が設置され、各回転部材１０の電源をそれぞれ制御することができる。
【００１４】
具体的には、電源ケーブル２００は、長さが少なくとも１メートルであり、使用が便利になるようにする。
【００１５】
具体的には、図１〜図４に示すように、回転部材１０は、少なくとも四つ設置され、電源挿入孔１０１の数を保証するようにする。
【００１６】
具体的には、図１〜図７に示すように、隣接するプラスチックハウシング１の間には、回転位置決め構造が設置され、ユーザーにとって、回転部材１０を回転し且つ回転部材１０を設定された角度で保つことが便利になるようにする。
【００１７】
具体的には、図６及び図７に示すように、回転位置決め構造は、プラスチックハウシング１の一端に設置された突起１３およびプラスチックハウシング１の他端に設置された凹孔１４を備え、突起１３が凹孔１４内に伸び、構造が簡単且つ確実になる。
【００１８】
具体的には、図６及び図７に示すように、凹孔１４は複数設置され、且つ、円形筒１２または円形孔１１の円心を中心として円周方向に均一に分布し、使用が便利になるようにする。
【００１９】
具体的には、図６及び図７に示すように、突起１３は複数設置され、且つ、円形筒１２または円形孔１１の円心を中心として円周方向に均一に分布し、使用が便利になるようにする。
【００２０】
具体的には、図６及び図７に示すように、凹孔１４と突起１３のそれぞれは、６個、１２個、または１６個など設置される。
【００２１】
本考案による多機能の回転式ソケットは、ソケット本体１００が、首尾が回転自在に連接された複数の回転部材１０を備え、回転部材１０同士が一定の角度で相対的に回転でき、上面にある電源挿入孔１０１の位置をずらすことができるようにして、大きいサイズのプラグを挿設することができるようにして、ソケットの利用率が高くなり、ユーザーにとって使用が便利になる。
【００２２】
以上は、本考案の好適な実施形態にすぎなく、本考案を限定しないものであるが、本考案の要旨を逸脱しない範囲内に加えられる種々の変更、交替及び改良などは、請求の範囲に記載された範疇に属すべきである。
【図１】
0003197061.tif 000003
【図２】
0003197061.tif 000004
【図３】
0003197061.tif 000005
【図４】
0003197061.tif 000006
【図５】
0003197061.tif 000007
【図６】
0003197061.tif 000008
【図７】
0003197061.tif 000009